(57)【特許請求の範囲】
【請求項１】
歯型彫刻実習用の歯型模型が保持される第１保持座と、
上記歯型模型と比較検証する歯型模型が保持される第２保持座と、
上記第１保持座及び上記第２保持座にそれぞれ保持された歯型模型が隣り合わせで並ぶように上記第１保持座及び上記第２保持座を支持する機台と、
上記機台に設けられ、上記第１保持座と上記第２保持座とを、同一方向に同一角度で一緒に回動又は一緒に傾動させる連動機構と、
を備えている
ことを特徴とする歯型模型検証装置。
【請求項２】
上記連動機構は、上記歯型模型の歯軸を略中心に、上記第１保持座と上記第２保持座とを、同一方向に同一角度で一緒に回動させる
請求項１に記載の歯型模型検証装置。
【請求項３】
上記連動機構は、上記第１保持座及び上記第２保持座に保持された両方の歯型模型の歯軸と略直交する軸を中心に、上記第１保持座と上記第２保持座とを、同一方向に同一角度で一緒に傾動させる
請求項１又は請求項２に記載の歯型模型検証装置。
【請求項４】
上記連動機構によって、上記第１保持座と上記第２保持座とを同一方向に同一角度で一緒に回動又は一緒に傾動させる場合に、上記第１保持座及び上記第２保持座の移動量をそれぞれ示す目盛部がさらに設けられている
請求項１から請求項３の何れか一項に記載の歯型模型検証装置。
【請求項５】
請求項１から請求項４の何れか一項に記載の歯型模型検証装置を用いた歯型模型検証方法であって、
第１保持座又は第２保持座の何れか一方には見本となる歯型模型を保持し、何れか他方には該見本となる歯型模型と比較検証する歯型模型を保持し、
連動機構により、上記第１保持座と上記第２保持座とを、同一方向に同一角度で一緒に回動又は一緒に傾動させ、
検証者の視点に対して２つの歯型模型を同じ方向に同じ角度で揃えたうえで、２つの歯型模型を比較検証する
ことを特徴とする歯型模型検証方法。
【発明の詳細な説明】
【技術分野】
【０００１】
本発明は、歯型彫刻実習用の歯型模型を比較検証するために用いる歯型模型検証装置に関し、更に詳しくは、歯科技工の学習において正確な歯の形を覚えるべく、歯型彫刻実習で製作する歯型模型と見本となる歯型模型とを、容易かつ正確に比較検証することができる歯型模型検証装置及びそれを用いた歯型模型検証方法に関する。
【背景技術】
【０００２】
一般に、歯科技工の学習として、歯の形（特に、歯冠の形）を立体的に覚えたり、歯科技工の基礎技術（器具・材料の性質・取扱い方等）を習得したりすることを目的として歯型彫刻の実習が行われている。
【０００３】
この歯型彫刻の実習は、図１０（ａ）〜（ｈ）に示すように、石膏やワックスの角柱に展開図を書き、これを彫刻刀で粗彫りする複数回（例えば、６回）の粗彫り工程を順次行い、その後、最終的な仕上げ工程で滑らかで正確な歯の形を有する歯冠及び歯根を彫り上げることで行なわれる（例えば、非特許文献１参照。）。
【０００４】
上記の歯型彫刻の実習では、教官の指導のもとに訓練生が歯型模型を製作するが、複数回の粗彫り工程の途中で歯軸等が微妙にずれてしまうと、仕上げ工程における最終的な歯の形が目標とする形に対して大きくずれてしまうことなる。
【０００５】
そこで、訓練生や教官は、製作途中の歯型模型と、正確な歯の形となっている見本の歯型模型とを、唇側面、頬側面、舌側面、近心面、遠心面等といった各面がそれぞれ同じ方向を向くように接触させて並べ、両方をまとめて指の間に挟む等して手に持ち、手を動かしたり、頭を動かしたりして、２つの歯型模型を様々な方向から見て比較検証することで、目標とする形から歯の形がずれていないかを頻繁に確認している。
【先行技術文献】
【非特許文献】
【０００６】
【非特許文献１】佐伯政友、瀬尾次郎著，「歯科技工士教本 歯の解剖学」，第１版，医歯薬出版株式会社，１９９８年１月２０日，Ｐ１３９−１７３
【発明の概要】
【発明が解決しようとする課題】
【０００７】
ところが、上記従来の歯型彫刻の実習では、製作途中の歯型模型と見本の歯型模型との比較検証を正確に行うことができず、訓練生にとって歯の形を短時間で簡易に覚えることが困難になっているという問題があった。
【０００８】
すなわち、２つの歯型模型を比較検証する場合には、上記したように２つの歯型模型を接触させて並べたうえ指の間に挟み、手を動かしたり、頭を動かしたりするが、手をどの程度動かしたか、あるいは頭をどの程度動かしたか、あるいは何れの位置から歯型模型を見たかが曖昧であることが比較検証を不正確にしており、歯の形を立体的に覚えていない訓練生に対し、歯の形のずれを指摘し、認識させることを難しくしている。さらに歯型模型を斜め方向、特に斜め４５°の方向から比較検証する場合は、互いに接触させたうえで指の間に挟んだ２つの歯型模型を同一方向から同一角度で見ることが非常に難しく、訓練生にとって歯の形のずれを発見すること、歯の形のずれを認識して理解することを非常に困難にしていた。
【０００９】
本発明は、上記現状に鑑みてなされたものであり、２つの歯型模型の比較検証を正確に行うことができる歯型模型検証装置及びそれを用いた歯型模型検証方法を提供することを目的とする。
【課題を解決するための手段】
【００１０】
上記問題を解決するために、請求項１に記載の発明は、歯型彫刻実習用の歯型模型が保持される第１保持座と、上記歯型模型と比較検証する歯型模型が保持される第２保持座と、上記第１保持座及び上記第２保持座にそれぞれ保持された歯型模型が隣り合わせで並ぶように上記第１保持座及び上記第２保持座を支持する機台と、上記機台に設けられ、上記第１保持座と上記第２保持座とを、同一方向に同一角度で一緒に回動又は一緒に傾動させる連動機構と、を備えていることを要旨とする。
請求項２に記載の発明は、請求項１記載において、上記連動機構は、上記歯型模型の歯軸を略中心に、上記第１保持座と上記第２保持座とを、同一方向に同一角度で一緒に回動させることを要旨とする。
請求項３に記載の発明は、請求項１又は請求項２記載において、上記連動機構は、上記第１保持座及び上記第２保持座に保持された両方の歯型模型の歯軸と略直交する軸を中心に、上記第１保持座と上記第２保持座とを、同一方向に同一角度で一緒に傾動させることを要旨とする。
請求項４に記載の発明は、請求項１から請求項３の何れか一項記載において、上記連動機構によって、上記第１保持座と上記第２保持座とを同一方向に同一角度で一緒に回動又は一緒に傾動させる場合に、上記第１保持座及び上記第２保持座の移動量をそれぞれ示す目盛部がさらに設けられていることを要旨とする。
請求項５に記載の発明は、請求項１から請求項４の何れか一項に記載の歯型模型検証装置を用いた歯型模型検証方法であって、第１保持座又は第２保持座の何れか一方には見本となる歯型模型を保持し、何れか他方には該見本となる歯型模型と比較検証する歯型模型を保持し、連動機構により、上記第１保持座と上記第２保持座とを、同一方向に同一角度で一緒に回動又は一緒に傾動させ、検証者の視点に対して２つの歯型模型を同じ方向に同じ角度で揃えることによって検証者からの見え方を同じにして、２つの歯型模型を比較検証することを要旨とする。
【発明の効果】
【００１１】
本発明の歯型模型検証装置によると、歯型模型が保持される第１保持座及び第２保持座と、該第１保持座及び該第２保持座にそれぞれ保持された歯型模型が隣り合わせで並ぶように該第１保持座及び該第２保持座を支持する機台と、を備えており、比較検証する２つの歯型模型を直接的に手で持つ必要がなく、該機台を所定の場所に置く等することで、該機台に支持された該第１保持座及び該第２保持座に各歯型模型を安定して保持しておくことができる。さらに該機台には、該第１保持座及び該第２保持座を同一方向に同一角度で一緒に回動又は一緒に傾動させる連動機構が設けられているので、手や頭を動かして見え方を変えるという曖昧な行為を行うことなく、検証者の視点を定位置に置いて２つの歯型模型を同じ方向に同じ角度で揃えることができる。従って、機台に支持された第１保持座及び該第２保持座に２つの歯型模型を安定して保持することで検証者の視点をほぼ定めることができるとともに、連動機構で２つの歯型模型を同じ方向に同じ角度で揃えることで検証者からの歯型模型の見え方が略一様に定まるので、２つの歯型模型の比較検証を正確に行うことができる。
【００１２】
また上記連動機構が上記歯型模型の歯軸を略中心に上記第１保持座と上記第２保持座とを同一方向に同一角度で一緒に回動させる場合、唇側面、頬側面、舌側面、近心面、遠心面等の各面をまっすぐな方向のみならず、斜め方向から見るなど、検証者の視点を定位置に置いたまま２つの歯型模型を略水平なあらゆる方向から見て比較することができるので歯の形のずれが認識しやすくなるとともに、歯型模型を保持したまま第１保持座や第２保持座を回動させることで製作途中の歯型模型の歯軸がずれていないかを確認することができる。
【００１３】
また上記連動機構が両方の歯型模型の歯軸と略直交する軸を中心に上記第１保持座と上記第２保持座とを同一方向に同一角度で一緒に傾動させる場合、歯型模型の切縁観、咬合面等の各面をまっすぐな方向のみならず、斜め方向から見るなど、検証者の視点を定位置に置いたまま２つの歯型模型を略垂直なあらゆる方向から見て比較することができるので歯の形のずれが認識しやすくなる。
【００１４】
また上記第１保持座及び上記第２保持座の移動量をそれぞれ示す目盛部がさらに設けられている場合、２つの歯型模型を同じ方向に同じ角度で確実に揃えることができるとともに、検証者からの歯型模型の見え方を数値化して一定なものとすることができる。
【００１５】
また本発明の歯型模型検証装置を用いた歯型模型検証方法によると、上記第１保持座と上記第２保持座とを、同一方向に同一角度で一緒に回動又は一緒に傾動させ、検証者の視点に対して２つの歯型模型を同じ方向に同じ角度で揃えることによって検証者からの見え方を同じにして、２つの歯型模型を比較検証するので、該比較検証を正確に行うことができる。
【図面の簡単な説明】
【００１６】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る歯型模型検証装置の斜視図である。
【図２】実施例１に係る上顎右側第二小臼歯の歯型模型の、（ａ）は平面図、（ｂ）は（ａ）のII矢視図、（ｃ）は（ａ）のIII矢視図である。
【図３】実施例１に係る保持座の、（ａ）は斜視図、（ｂ）は横断面図である。
【図４】実施例１に係る連動機構の平面図である。
【図５】実施例１に係る連動機構の動作を説明するための説明図である。
【図６】歯型模型検証装置を用いた検証方法を説明するための説明図である。
【図７】同じく、検証方法を説明するための説明図である。
【図８】ヒトの歯の種類を説明するための参考図である。
【図９】ヒトの歯の方向を説明するための参考図である。
【図１０】従来一般の歯型彫刻の実習方を説明するための説明図である。
【発明を実施するための形態】
【００１７】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１８】
１．歯型模型検証装置
本発明に係る歯型模型検証装置は、歯型彫刻実習用の歯型模型を比較検証するために用いるものであり、後述する第１保持座と、第２保持座と、機台と、連動機構と、を備えて構成される。この歯型模型検証装置は、例えば、後述する目盛部をさらに備えることができる。
【００１９】
上記「歯型模型」は、その種類、大きさ、材質等は特に問わない。この歯型模型は、通常、歯冠部を備えて構成されており、後述する歯根部及び載置部のうちの少なくとも一方をさらに備えて構成されているものが好ましい。
【００２０】
上記「歯冠部」は、その種類、大きさ、材質等は特に問わない。この歯冠部の種類としては、例えば、切歯及び犬歯を含む前歯、小臼歯及び大臼歯を含む臼歯等を挙げることができる。この前歯の歯冠部は、通常、近心面、遠心面、唇側面、舌側面及び切面を有している。また、この臼歯の歯冠部は、通常、近心面、遠心面、頬側面、舌側面及び咬合面を有している。また、歯冠部の大きさは、例えば、実際のヒトの歯冠と同じ大きさであったり、実際のヒトの歯冠に対して所定の倍率で拡縮された大きさであったりできる。また、歯冠部の材質としては、例えば、石膏、合成樹脂、金属等を挙げることができる。また、この歯冠部は、例えば、後述する載置部（又は歯冠部）に着脱可能な別部材であることができるが、載置部（又は歯冠部）と一体の部材であることが好ましい。尚、歯冠とは、歯のうちエナメル質に覆われた部分を意味する。
【００２１】
上記「歯根部」は、上記歯冠部に連なるものである限り、その種類、大きさ、材質等は特に問わない。この歯根部の種類としては、例えば、切歯及び犬歯を含む前歯、小臼歯及び大臼歯を含む臼歯等を挙げることができる。また、歯根部の大きさは、例えば、実際のヒトの歯根と同じ大きさであったり、実際のヒトの歯根に対して所定の倍率で拡縮された大きさであったりできる。また、歯根部の材質としては、例えば、石膏、合成樹脂、金属等を挙げることができる。また、この歯根部は、例えば、後述する載置部（又は上記歯冠部）に着脱可能な別部材であることができるが、載置部（又は歯冠部）と一体の部材であることが好ましい。尚、歯根とは、歯のうちセメント質に覆われた部分を意味する。
【００２２】
上記「載置部」は、テーブル等の床面に載置する平らな載置面を有する限り、その形状、大きさ、材質等は特に問わない。上記歯型模型が歯冠部のみを備える場合、この載置部は、通常、歯冠部に連なっている。上記歯型模型が歯冠部及び歯根部を備える場合、この載置部は、通常、歯根部に連なっている。また、この載置部の形状としては、例えば、ブロック状、平板状、多足状等を挙げることができる。
【００２３】
尚、参考として、図８に示すように、ヒトの上顎及び下顎の歯には、中切歯、側切歯、犬歯、第一小臼歯、第二小臼歯、第一大臼歯、第二大臼歯及び第三大臼歯がある。また、図９に示すように、切歯及び犬歯などの前歯が口唇粘膜に面する側を「唇側」、小臼歯及び大臼歯などの臼歯が頬粘膜に面する側を「頬側」という。さらに、唇側及び頬側の反対方向すなわち内側方向は、上顎では「口蓋側」、下顎では「舌側」であるが、本明細書では、上顎も下顎も全て「舌側」を用いることとする。
【００２４】
上記「第１保持座」及び上記「第２保持座」は、歯型彫刻実習用の上記歯型模型が保持されるものである限り、その形状、材質、色、大きさ等は特に問わない。これら第１保持座及び第２保持座の形状としては、例えば、円筒状、角筒状等を挙げることができる。これら第１保持座及び第２保持座の材質としては、例えば、合成樹脂、金属、ガラス等を挙げることができる。これら第１保持座及び第２保持座の色としては、例えば、互いに同色又は異色の不透明や有色透明、あるいは無色透明等を挙げることができる。
【００２５】
また第１保持座及び第２保持座は、他の差異に気を散らされることなく、それぞれに保持された歯型模型の形のずれを目立たせるという観点から、形状、大きさ、色等を同一とすることが好ましい。これら第１保持座及び第２保持座は、例えば第１保持座に訓練生が製作した歯型模型を保持して第２保持座に見本となる歯型模型を保持する等のように、通常、何れか一方に製作途中の歯型模型が、何れか他方に見本となる歯型模型が保持されるが、保持されるものが歯型模型である限り、例えば、同じ訓練生が過去に製作した歯型模型と現在製作している歯型模型、異なる訓練生がそれぞれ製作途中の歯型模型、上顎第二小臼歯の歯型模型と下顎第二小臼歯の歯型模型、等のように比較検証するべく保持される歯型模型の種類は特に問わない。
【００２６】
上記「機台」は、上記第１保持座及び上記第２保持座にそれぞれ保持された歯型模型を隣り合わせで並べるものであり、且つ上記第１保持座及び上記第２保持座を支持するものである限り、その形状、材質、色、大きさ等は特に問わない。この機台の形状としては、例えば、箱状、枠状等を挙げることができる。この機台の材質としては、例えば、合成樹脂、金属、ガラス等を挙げることができる。
【００２７】
上記「連動機構」は、上記機台に設けられ、上記第１保持座と上記第２保持座とを、同一方向に同一角度で一緒に回動又は一緒に傾動させるものである限り、その構成、構造、材質等は特に問わない。この連動機構としては、例えば、歯車の噛合によるもの、プーリーとベルトによるもの等を挙げることができる。
【００２８】
ここで本発明に係る歯型模型検証装置は、上記連動機構が、例えば（１）上記歯型模型の歯軸を略中心に、上記第１保持座と上記第２保持座とを、同一方向に同一角度で一緒に回動させる形態、（２）上記第１保持座及び上記第２保持座に保持された両方の歯型模型の歯軸と略直交する軸を中心に、上記第１保持座と上記第２保持座とを、同一方向に同一角度で一緒に傾動させる形態等を挙げることができる。また、これら（１）（２）形態を組み合わせた形態も挙げることができる。
【００２９】
上記（１）形態の場合、上記歯型模型の歯軸を略中心に、上記第１保持座と上記第２保持座とを一緒に回動させるものである限り、その構成、回動方向等は特に問わない。この（１）形態の場合の回動方向としては、例えば、水平面内における左右方向の回動等を挙げることができる。
【００３０】
なお、上記「歯軸」とは、歯の長軸であり、唇側、頬側、舌側または近遠心面の各方向からながめたときに、切縁または咬頭側から歯頸部（近遠心径の１／２）付近を通り、さらに根尖側方向に縦に走る直線、つまりは、歯型模型を２等分するように上下に伸びる軸をいう。従って、上記「歯軸を略中心に、上記第１保持座と上記第２保持座とを一緒に回動させる」とは、歯軸を中心に上記第１保持座と上記第２保持座とを一緒に回動させる他に、鉛直方向に上下に伸びる軸（以下、「垂直軸」とも記載する。）を中心に上記第１保持座と上記第２保持座とを一緒に回動させる場合を含むものとする。
【００３１】
上記（２）形態の場合、上記第１保持座及び上記第２保持座に保持された両方の歯型模型の歯軸と略直交する軸を中心に、上記第１保持座と上記第２保持座とを、同一方向に同一角度で一緒に傾動させるものである限り、その構成、回動方向等は特に問わない。この（２）形態の場合の回動方向としては、例えば、垂直面内における前後方向の回動等を挙げることができる。
【００３２】
なお、上記「両方の歯型模型の歯軸と略直交する軸を中心に、上記第１保持座と上記第２保持座とを一緒に傾動させる」とは、両方の歯型模型の歯軸と直交する軸を中心に上記第１保持座と上記第２保持座とを一緒に傾動させる他に、平行に伸びる２本の垂直軸と直交して横方向に伸びる軸（以下、「水平軸」とも記載する。）を中心に上記第１保持座と上記第２保持座とを一緒に傾動させる場合を含むものとする。
【００３３】
上記「目盛部」は、上記連動機構によって、上記第１保持座と上記第２保持座とを同一方向に同一角度で一緒に回動又は一緒に傾動させる場合に、上記第１保持座及び上記第２保持座の移動量をそれぞれ示すものである限り、その種類、形状、大きさ、表示方法等は特に問わない。この目盛部としては、例えば、等間隔おきに印刷などされた線による表示、度数やπによる角度表示、アラビア数字やローマ数字などの数値表示等を挙げることができる。
【００３４】
２．歯型模型検証装置を用いた歯型模型検証方法
本発明に係る歯型模型検証方法は、上記歯型模型検証装置を用いた歯型模型の検証方法であって、第１保持座又は第２保持座の何れか一方には見本となる歯型模型を保持し、何れか他方には該見本となる歯型模型と比較検証する歯型模型を保持し、連動機構により、上記第１保持座と上記第２保持座とを、同一方向に同一角度で一緒に回動又は一緒に傾動させ、検証者の視点に対して２つの歯型模型を同じ方向に同じ角度で揃えたうえで、２つの歯型模型を比較検証することを特徴とする。この場合、検証者は、自らの視点の位置を変えることなく、固定したまま、２つの歯型模型の各面を斜め４５°の方向や、上方向等のあらゆる方向から見ることができる。
【実施例】
【００３５】
以下、図面を参照して実施例により本発明を具体的に説明する。
【００３６】
（１）歯型模型検証装置の構成
本実施例に係る歯型模型検証装置１０は、図１に示すように、機台１１と、該機台１１に支持された２つの保持座１２と、を備えている。この機台１１には連動機構として、２つの保持座１２を横方向に回動させる回転調整機構１３と、２つの保持座１２を縦方向で傾動させる傾き調整機構１４と、が設けられている。そして、この歯型模型検証装置１０は、各保持座１２に歯型模型をそれぞれ保持し、回転調整機構１３や傾き調整機構１４で歯型模型の見え方を所望にあわせて適宜調整したうえで、２つの歯型模型を比較検証するのに使用される。また、この歯型模型検証装置１０においては、保持座１２の移動量を示す目盛部として、上記回転調整機構１３による保持座１２の回転角を示す角度目盛１５と、上記傾き調整機構１４による保持座１２の傾度を示す傾度目盛１６と、が設けられている。
【００３７】
なお、２つの保持座１２において、本実施例では、歯型模型検証装置１０を正面視した場合に左側に位置するものを第１保持座１２Ａ、右側に位置するものを第２保持座１２Ｂとするが、これら第１保持座１２Ａと第２保持座１２Ｂとで特に構成の差異はなく、以下単に「保持座１２」と記載する場合は第１保持座１２Ａ及び第２保持座１２Ｂの両方を示すものとする。
【００３８】
＜歯型模型＞
本実施例に係る歯型模型１は、図２（ａ）〜（ｃ）に示すように、石膏よりなり、テーブル等に安定して載置される矩形状の載置部２を備えている。この載置部２からは、歯根部３が上方に延びている。
【００３９】
ここで、本実施例に係る歯型模型１の歯軸５は、基本的に、載置部２から歯根部３が延びている方向に延びる線をいうものとし、より限定的には、平面視における載置部２の中心と、平面視における歯根部３の中心と、を通るように延びる線をいうものとする。従って、本実施例では、歯軸５と、垂直軸と、は略等しいものとする
【００４０】
上記歯根部３からは、歯冠部６が上方に延びている。この歯冠部６は、臼歯（上顎右側第二小臼歯）のものであり、近心面、遠心面、唇側面、頬側面及び咬合面の各歯面を有している。また、歯冠部６と歯根部３との間には、エナメル質とセメント質との境界を示す歯頚線７が形成されている。
【００４１】
なお、本実施例では、歯型模型として、上顎右側第二小臼歯の歯型模型１を例示するが、本発明の歯型模型検証装置１０で使用される歯型模型１は、上記歯種に限定されることなく、全ての歯種に応じた模型を使用することができる。
【００４２】
＜機台＞
本実施例に係る機台１１は、図１に示すように、正面視で凹字状をなす脚体２１と、該脚体２１の上部に支承された支持台２２と、からなる。この支持台２２は、平面視で横長の直方体状をなしており、その長手方向の両端となる両側面のそれぞれ中央には、支軸２３が水平方向へ延びるように突設されている。
【００４３】
上記支持台２２は、該支軸２３を上記脚体２１の両側部の内面に挿入することで、該支軸２３（水平軸）を中心として、傾動自在に構成されている。また支持台２２には、上記保持座１２を支持するための保持孔（図示略）が、該支持台２２の縦方向（垂直方向）に開口するように形成されている。この保持孔は、第１保持座１２Ａと第２保持座１２Ｂに対応して、２つ形成されており、２つの保持孔は、支持台２２の長手方向で隣り合うように、支軸２３（水平軸）の延びる方向に並んで配置されている。
【００４４】
＜保持座＞
本実施例に係る保持座１２は、図３（ａ），（ｂ）に示すように、円筒状に形成された保持座本体３１と、該保持座本体３１の内周面上で上端部に取り付けられた弾性片３２と、によって構成されている。この弾性片３２は、弾性を有する金属製の薄板を、その下半部３２ｂが上半部３２ａに比して保持座本体３１の軸線寄りとなるように、屈曲させることによって形成されたものである。
【００４５】
上記保持座１２には、その上端側の開口の内側へ上記歯型模型１の載置部２が挿入されることにより、上記歯型模型１が保持されるように構成されている。すなわち、歯型模型１の載置部２が保持座１２の開口の内側へ挿入された場合、該載置部２は、弾性片３２の下半部３２ｂを保持座１２の周壁へ押しのけるように弾性変形させるが、この弾性変形された弾性片３２は、元の形状に復元しようとすることで付勢力を発揮し、該載置部２を保持座１２の内周面へ押し付けることで、該歯型模型１を該保持座１２の上部に保持している。さらに歯型模型１は、弾性片３２の付勢力により保持座１２に保持されてはいるが、固定はされておらず、該弾性片３２の付勢力に抗して保持座１２へ押し込んだり、あるいは引き上げたりすることで、保持座１２上における高さ位置を調整できるようになっている。また保持座１２に歯型模型１が保持された状態において、歯型模型１の載置部２の平面視における中心は、該保持座１２の平面視における中心と略一致しており（図４参照）、該歯型模型１の歯軸５と、保持座１２の軸線とが略一致する。
【００４６】
上記保持座１２は、上記機台１１の支持台２２に形成された保持孔に挿通されることにより、該支持台２２を介して上記脚体２１に支持されている。該保持座１２は２つが、該支持台２２の２つの保持孔にそれぞれ挿通されることにより、第１保持座１２Ａ及び第２保持座１２Ｂを構成している。そして、上記したように該支持台２２の２つの保持孔が隣り合って並ぶように配置されていることから、第１保持座１２Ａ及び第２保持座１２Ｂにそれぞれ保持された歯型模型１もまた隣り合わせで並ぶことになる。
【００４７】
＜連動機構＞
本実施例に係る連動機構の回転調整機構１３は、上記機台１１において支持台２２の内部に収容された大歯車４１と、小歯車４２と、を有している。大歯車４１は、図１及び図３（ａ）に示すように、上記保持座１２の外周面上に取り付けられている。上記保持座１２によって構成された第１保持座１２Ａ及び第２保持座１２Ｂは、支持台２２の内部でそれぞれの大歯車４１が互いに噛み合わないように、離隔して配置されている。小歯車４２は、支持台２２の内部において、図１及び図４に示すように、第１保持座１２Ａ及び第２保持座１２Ｂの両方の大歯車４１と噛合するように配置されている。この小歯車４２には、回転操作ツマミ４３が取り付けられている。該回転操作ツマミ４３は、支持台２２の下面から外方に突出し、外部に露出している。この回転操作ツマミ４３を回転させると、図４中に矢印で示したように、小歯車４２が回転し、該小歯車４２の回転に伴って大歯車４１が回転する。そして、大歯車４１は保持座１２の外周面上に取り付けられているので、第１保持座１２Ａ及び第２保持座１２Ｂは、軸線、つまりは歯軸５（垂直軸）を中心に、同一方向に同一角度で一緒に回動する。
【００４８】
本実施例に係る連動機構の傾き調整機構１４は、図１及び図５（ａ），（ｂ）に示すように、上記機台１１に設けられた大プーリー４４と、小プーリー４５と、これら大プーリー４４と小プーリー４５との間に架けわたされたベルト４６と、を有している。大プーリー４４は、機台１１において支持台２２の一方の支軸２３上に固定されている。小プーリー４５は、機台１１において脚体２１の一側部の内面に回転自在に取り付けられている。この小プーリー４５には、傾き操作ツマミ４７が取り付けられている。該傾き操作ツマミ４７は、脚体２１の外側面から外方に突出し、外部に露出している。この傾き操作ツマミ４７を回転させると、図５（ａ）中に矢印で示したように、小プーリー４５が回転し、該小プーリー４５の回転がベルト４６を介して大プーリー４４に伝わり、該大プーリー４４が回転する。そして、大プーリー４４は支持台２２の支軸２３上に固定されているので、支持台２２が支軸２３（水平軸）を中心に傾動し、該支持台２２に支持された第１保持座１２Ａ及び第２保持座１２Ｂは、支軸２３（水平軸）を中心に、同一方向に同一角度で一緒に傾動する。
【００４９】
なお、上記したように第１保持座１２Ａと第２保持座１２Ｂのそれぞれの回動中心となる歯軸５が本実施例では垂直軸と略等しく、また第１保持座１２Ａと第２保持座１２Ｂが支軸２３（水平軸）の延びる方向に並んで配置されていることから、支軸２３（水平軸）は、第１保持座１２Ａ及び第２保持座１２Ｂの両方の歯軸５と直交する。
【００５０】
＜目盛部＞
本実施例に係る目盛部の角度目盛１５は、上記支持台２２の上面に、上記保持座１２の上部を取り囲む円筒状の縦スリーブ５１を突設し、該縦スリーブ５１の上面に等間隔おきに目盛線を刻むことにより、設けられている。また該角度目盛１５と対応して、保持座１２の上面には指針５２が設けられている。
【００５１】
本実施例に係る目盛部の傾度目盛１６は、上記脚体２１の外側面に、上記傾き操作ツマミ４７の軸部を取り囲む円筒状の横スリーブ５３を突設し、該横スリーブ５３の端面に等間隔おきに目盛線を刻むことにより、設けられている。また該傾度目盛１６と対応して、傾き操作ツマミ４７には指針５４が設けられている。
【００５２】
（２）歯型模型検証方法
本実施例に係る歯型模型検証装置１０を使用した歯型模型検証方法について説明する。歯型模型検証装置１０を使用する場合、まず第１保持座１２Ａ又は第２保持座１２Ｂの何れか一方に見本となる歯型模型１を保持し、何れか他方に該見本と比較検証する歯型模型１を保持する。本実施例では第１保持座１２Ａに見本となる歯型模型１を、第２保持座１２Ｂに比較検証する歯型模型１を保持するものとする。
【００５３】
次いで、比較検証を行う検証者Ｅは、図６（ａ）に示すように、視点を歯型模型検証装置１０の正面に置き、２つの歯型模型１を見比べ、比較検証する歯型模型１の形にずれがないかを確認する。
【００５４】
このとき図６（ｂ）に示すように、検証者Ｅは、回転操作ツマミ４３を適宜回転させることにより、２つの歯型模型１を、歯軸５を中心に同一方向に同一角度で一緒に回動させることができる。そして、同一方向に同一角度で一緒に回動された２つの歯型模型１は、検証者Ｅの視点に対して同じ方向に同じ角度で揃っており、特に斜め４５°の方向から見た際に歯型模型１の形にずれがないかを入念に確認する。
【００５５】
また一方、図７（ａ），（ｂ）に示すように、検証者Ｅは、傾き操作ツマミ４７を適宜回転させることにより、２つの歯型模型１を、支軸２３を中心に同一方向に同一角度で一緒に傾動させることができる。そして、同一方向に同一角度で一緒に傾動された２つの歯型模型１は、検証者Ｅの視点に対して同じ方向に同じ角度で揃っており、特に斜め４５°の方向から見た際に歯型模型１の形にずれがないかを入念に確認する。
【００５６】
（３）歯型模型検証装置の効果
本実施例の歯型模型検証装置によると、比較検証する２つの歯型模型１は、第１保持座１２Ａ及び第２保持座１２Ｂにそれぞれ保持されており、手で持つ必要がなく、機台１１を所定の場所に置くことで、比較検証時に歯型模型１をぐらついたりすることなく安定して保持しておくことができる。
【００５７】
また機台１１には、第１保持座１２Ａ及び第２保持座１２Ｂを、同一方向に同一角度で一緒に回動させる回転調整機構１３と、同一方向に同一角度で一緒に傾動させる傾き調整機構１４が設けられているので、特に頭を動かさずに検証者Ｅの視点を定位置に置いたままで、歯型模型１の見え方を変えるために、該歯型模型１を同じ方向に同じ角度で揃えて動かすことができる。
【００５８】
また回転調整機構１３は、歯型模型１を、その歯軸５を略中心に３６０°方向へ回転させることができるので、検証者Ｅの視点を定位置に置いたままで、唇側面、頬側面、舌側面、近心面、遠心面等の各面をまっすぐな方向のみならず、斜め４５°方向から見ることができる。
【００５９】
また回転調整機構１３は、２つの歯型模型を略水平なあらゆる方向から見て比較することができるので歯の形のずれを認識させやすくすることができるとともに、回転時の歯型模型１の振れを確認することで歯軸５のずれを容易に確認することができる。
【００６０】
また傾き調整機構１４は、歯型模型１を、その歯軸５と直行する支軸２３を略中心に前後方向へ傾動させることができるので、検証者Ｅの視点を定位置に置いたままで、歯型模型１の切縁観、咬合面等の各面をまっすぐな方向のみならず、斜め４５°方向から見ることができる。
【００６１】
また回転調整機構１３による歯型模型１の回転量を示す角度目盛１５と、傾き調整機構１４による歯型模型１の傾き量を示す傾度目盛１６と、を設けたので、検証者が角度目盛１５又は傾度目盛１６で読み取った数値を訓練生に伝えることで、検証者からの見え方と同じ見え方で歯型模型１を比較検証することができ、歯の形のずれを簡易に認識することができる。
【００６２】
また本発明の歯型模型検証方法によると、上記第１保持座１２Ａと上記第２保持座１２Ｂとを、同一方向に同一角度で一緒に回動又は一緒に傾動させ、検証者Ｅの視点に対して２つの歯型模型１を同じ方向に同じ角度で揃えることによって検証者からの見え方を同じにして、２つの歯型模型を比較検証するので、該比較検証を正確に行うことができる。
【００６３】
（４）実施例の変更例
本発明においては、上記実施例に限られず、目的、用途に応じて本発明の範囲内で以下のように種々変更した実施例とすることができる。
【００６４】
目盛部は、目盛線のみによるものに限らず、目盛線と数値、数値等で構成してもよい。また目盛部を省略してもよい。
【００６５】
連動機構は、回転調整機構１３と傾き調整機構１４の２つを設ける必要はなく、例えば回転調整機構１３のみを設けたり、傾き調整機構１４のみを設けたりしてもよい。
【００６６】
傾き調整機構１４において、所定角度で傾動を止めるために、例えば傾き操作ツマミ４７の軸部にゴムリングを巻いたり、ラッチを設けたりしてもよい。
【産業上の利用可能性】
【００６７】
本発明は、例えば、専門学校や歯科大学等での歯科技工の学習及びこれに関連する分野に広く利用される。
【符号の説明】
【００６８】
１；歯型模型、２；載置部、３；歯根部、５；歯軸、６；歯冠部、１０；歯型模型検証装置、１１；機台、１２Ａ；第１保持座、１２Ｂ；第２保持座、１３；回転調整機構、１４；傾き調整機構、１５；角度目盛、１６；傾度目盛。
【図１】
0005647527.tif 000002
【図２】
0005647527.tif 000003
【図３】
0005647527.tif 000004
【図４】
0005647527.tif 000005
【図５】
0005647527.tif 000006
【図６】
0005647527.tif 000007
【図７】
0005647527.tif 000008
【図８】
0005647527.tif 000009
【図９】
0005647527.tif 000010
【図１０】
0005647527.tif 000011